(57)【要約】【課題】  タブ紙のタブ部分やパンチ穴紙のパンチ穴周辺においても、転写不良を生じることなく画像形成を行うことを可能とする画像形成装置を提供する。【解決手段】  画像形成装置は、画像を形成する記録紙がタブやパンチ穴を有することを示す情報が入力される操作部と、タブ部分やパンチ穴周辺を転写するための電圧或いは電流の値である制御値を記憶する制御値記憶部とを備えており、タブ部分やパンチ穴周辺を転写するときには、転写電圧或いは転写電流を制御値に切り替える。【選択図】      図８
2005107234.tif 000002
【特許請求の範囲】
【請求項１】
記録媒体にトナーを転写する転写手段と、
記録媒体の少なくとも一端に突出部ないし切欠部を有するか、または、記録媒体が孔部を有することを示す情報が入力される入力手段と、
前記孔部ないし切欠部周辺の記録面または前記突出部の記録面に対しトナー像を転写するために印加する電圧の値または供給する電流の値である制御値を記憶した制御値記憶手段と、
前記入力手段において前記情報が入力されると、前記制御値記憶手段に記憶された前記制御値に従って前記転写手段を制御して前記記録媒体にトナー像を転写させる転写制御手段と
を備える画像形成装置。
【請求項２】
前記入力手段には、前記情報とともに前記突出部ないし切欠部または前記孔部を特徴づける特徴情報が入力され、
前記転写制御手段は、前記特徴情報に応じた前記制御値に従って前記転写手段を制御して前記記録媒体にトナー像を転写させる
請求項１記載の画像形成装置。
【請求項３】
温度または湿度を計測する計測手段を備え、
前記転写制御手段は、前記温度または湿度に応じた前記制御値に従って前記転写手段を制御して前記記録媒体にトナー像を転写させる
請求項１ないし２記載の画像形成装置。
【請求項４】
前記制御値は、記録媒体上の前記孔部ないし切欠部周辺の記録面以外の記録面、または、前記突出部以外の記録面にトナー像を転写させるために印加する電圧の値または供給する電流の値に対する相対値で示される
請求項１ないし３記載の画像形成装置。
【請求項５】
前記特徴情報は前記突出部ないし切欠部または前記孔部の面積を示す情報であり、
前記制御値は前記特徴情報に応じて異なる
請求項２ないし４記載の画像形成装置。
【請求項６】
前記特徴情報は前記記録媒体の単位面積当たりの重量であり、
前記制御値は前記特徴情報に応じて異なる
請求項２ないし４記載の画像形成装置。
【請求項７】
前記転写制御手段は、前記記録媒体上の前記孔部ないし切欠部周辺の記録面以外の記録面、または、前記突出部以外の記録面にトナー像を転写させるために印加する電圧の値または供給する電流の値から前記制御値への変化を連続的或いは段階的に行う
請求項１ないし６記載の画像形成装置。
【請求項８】
前記転写制御手段は、前記記録媒体上の前記孔部ないし切欠部周辺の記録面以外の記録面、または、前記突出部以外の記録面にトナー像を転写させるために印加する電圧の値または供給する電流の値から前記制御値への変化を、前記突出部ないし切欠部または前記孔部の周辺かつ当該突出部ないし切欠部、または当該孔部以外の部分から開始する
請求項１ないし７記載の画像形成装置。
【請求項９】
前記転写制御手段は、前記記録媒体上の前記孔部ないし切欠部周辺の記録面以外の記録面、または、前記突出部以外の記録面にトナー像を転写させるために印加する電圧の値または供給する電流の値から前記制御値への変化を、前記突出部ないし切欠部または前記孔部の所定の部分で終了する
請求項１ないし８記載の画像形成装置。
【発明の詳細な説明】
【技術分野】
【０００１】
本発明は、タブやパンチ穴等を有する記録紙に画像形成を行うための技術に関する。
【背景技術】
【０００２】
画像形成装置においては、見出し等の用途に利用されるタブ或いはインデックスと呼ばれる部分が設けられた記録紙（以下、これを「タブ紙」と称する）や、ファイリングのためのパンチ穴が設けられた記録紙（以下、これを「パンチ穴紙」と称する）等が利用されることがある。タブ紙のタブ部分を検知して当該部分に印刷を施す技術や、パンチ穴紙のパンチ穴部分を検知して印刷を制御する技術については既によく知られている（例えば特許文献１，２，３参照）。
【０００３】
図９は、画像形成装置において記録紙にトナー像を転写する転写部周辺を、記録紙の移動方向及びその直交方向より示した図である。同図において、記録紙Ｐと中間転写ベルト１０４は、電位差を与えられた二次転写ロール１０７と従動ロール１０６との間で互いに密着するように押圧されており、この密着部分に形成される電界の作用によって中間転写ベルト１０４上のトナー像が記録紙Ｐ上に転写される。この転写部において転写を行う方法には、定電流制御と定電圧制御とがある。定電流制御とはこの二次転写ロール１０７と従動ロール１０６の間に一定の転写電流を流して転写を行う方法であり、定電圧制御とはこの二次転写ロール１０７と従動ロール１０６の間に一定の転写電圧を印加して転写を行う方法である。
【０００４】
ここで、図１０は記録紙の各位置における転写部の転写面の状態を、記録紙の移動方向に対して平行に見た場合をそれぞれ示した図であり、それぞれの転写面は記録紙のＡ−Ａ’部分、Ｂ−Ｂ’部分、Ｃ−Ｃ’部分を示している。同図に示されているように、タブ紙のタブ部分（図中Ｂ−Ｂ’部分）やパンチ穴紙のパンチ穴部分（図中Ｃ−Ｃ’部分）においては、その他の部分（図中Ａ−Ａ’部分）と比較して、二次転写ロール１０７と従動ロール１０６に挟まれる記録紙Ｐの面積が非常に少なくなってしまう。このことにより、以下に示されるような問題が発生する。
【０００５】
まず、定電流制御の場合には、記録紙Ｐのある部分は記録紙Ｐのない部分よりも電気抵抗が高くなるため、電流は記録紙Ｐのない部分へより多く流れてしまう。このため、記録紙Ｐのある部分は相対的に電流が減少し、このことが原因でタブ部分やパンチ穴とパンチ穴の間では転写不良が生じやすくなる。
次に、定電圧制御の場合には、二次転写ロール１０７と従動ロール１０６との間に生じる電位差に対して二次転写ロール１０７，記録紙Ｐ，中間転写ベルト１０４，従動ロール１０６によって電気抵抗Ｒ1，Ｒ2，Ｒ3，Ｒ4が作用すると考えると、記録紙Ｐの電気抵抗Ｒ2は記録紙Ｐのある部分が少ないほど小さくなる。このため、タブ部分やパンチ穴とパンチ穴の間に転写を行うときには、その他の部分に転写を行うときに比べて電気抵抗Ｒ2が小さくなってしまうために記録紙Ｐに印加される転写電圧が小さくなってしまい、転写不良が生じやすくなる。
【０００６】
【特許文献１】特開平０６−２２７７３４号公報
【特許文献２】特開平１１−３２７３６３号公報
【特許文献３】特開２０００−１３２００５号公報
【発明の開示】
【発明が解決しようとする課題】
【０００７】
本発明はこのような背景の下になされたものであり、その目的は、タブ紙のタブ部分やパンチ穴紙のパンチ穴周辺においても、転写不良を生じることなく画像形成を行うことを可能とする画像形成装置を提供することにある。
【課題を解決するための手段】
【０００８】
上述の課題を解決するため、本発明に係る画像形成装置は、記録媒体にトナーを転写する転写手段と、記録媒体の少なくとも一端に突出部ないし切欠部を有するか、または、記録媒体が孔部を有することを示す情報が入力される入力手段と、前記孔部ないし切欠部周辺の記録面または前記突出部の記録面に対しトナー像を転写するために印加する電圧の値または供給する電流の値である制御値を記憶した制御値記憶手段と、前記入力手段において前記情報が入力されると、前記制御値記憶手段に記憶された前記制御値に従って前記転写手段を制御して前記記録媒体にトナー像を転写させる転写制御手段とを備える。
これにより、タブ等の突出部やパンチ穴等の孔部、或いは切欠部を有する記録媒体において、転写不良を生じることなく画像形成を行うことが可能となる。
【０００９】
また、本発明に係る画像形成装置は、より好ましい態様においては、前記入力手段には、前記情報とともに前記突出部ないし切欠部または前記孔部を特徴づける特徴情報が入力され、前記転写制御手段は、前記特徴情報に応じた前記制御値に従って前記転写手段を制御して前記記録媒体にトナー像を転写させる。
このとき、前記特徴情報は前記突出部ないし切欠部または前記孔部の面積を示す情報であり、前記制御値は前記特徴情報に応じて異なる。
或いは、前記特徴情報は前記記録媒体の単位面積当たりの重量であり、前記制御値は前記特徴情報に応じて異なる。
この態様によれば、記録媒体の突出部や孔部、或いは切欠部の大きさや記録媒体の坪量に応じて、より適切な制御値により制御された画像形成を行うことが可能となる。
【００１０】
また、本発明に係る画像形成装置は、より好ましい態様においては、温度または湿度を計測する計測手段を備え、前記転写制御手段は、前記温度または湿度に応じた前記制御値に従って前記転写手段を制御して前記記録媒体にトナー像を転写させる。
この態様によれば、温度や湿度に応じたより適切な制御値により制御された画像形成を行うことが可能となる。
【００１１】
また、本発明に係る画像形成装置においては、前記制御値は、記録媒体上の前記孔部ないし切欠部周辺の記録面以外の記録面、または、前記突出部以外の記録面にトナー像を転写させるために印加する電圧の値または供給する電流の値に対する相対値で示されることも可能である。
【００１２】
また、本発明に係る画像形成装置は、より好ましい態様においては、前記転写制御手段は、前記記録媒体上の前記孔部ないし切欠部周辺の記録面以外の記録面、または、前記突出部以外の記録面にトナー像を転写させるために印加する電圧の値または供給する電流の値から前記制御値への変化を連続的或いは段階的に行う。
さらに好ましくは、前記転写制御手段は、前記記録媒体上の前記孔部ないし切欠部周辺の記録面以外の記録面、または、前記突出部以外の記録面にトナー像を転写させるために印加する電圧の値または供給する電流の値から前記制御値への変化を、前記突出部ないし切欠部または前記孔部の周辺かつ当該突出部ないし切欠部、または当該孔部以外の部分から開始する。
さらに好ましくは、前記転写制御手段は、前記記録媒体上の前記孔部ないし切欠部周辺の記録面以外の記録面、または、前記突出部以外の記録面にトナー像を転写させるために印加する電圧の値または供給する電流の値から前記制御値への変化を、前記突出部ないし切欠部または前記孔部の所定の部分で終了する。
この態様によれば、タブやパンチ穴の周辺において電圧或いは電流の変化が徐々に行われ、画質を急変させることなく画像形成を行うことが可能となる。
【発明を実施するための最良の形態】
【００１３】
（１）構成
図１は本実施形態に係る画像形成装置１の構成を示した図である。以下、同図を参照してこの画像形成装置１の構成を詳説する。なお、同図において、点線Ｐは記録紙の搬送経路を示している。
画像形成装置１は、制御部１００と、制御値記憶部１０１と、画像形成ユニット１０２Ｙ，１０２Ｍ，１０２Ｃ，１０２Ｋと、一次転写ロール１０３Ｙ，１０３Ｍ，１０３Ｃ，１０３Ｋと、中間転写ベルト１０４と、駆動ロール１０５と、複数の従動ロール１０６と、二次転写ロール１０７と、定着装置１０８と、複数の搬送ロール１０９と、記録紙トレイ１１０ａ，１１０ｂ，１１０ｃ，１１０ｄと、操作部１１１とを備える。
【００１４】
制御部１００はＣＰＵ（Central Processing Unit）やＲＯＭ（Read Only Memory）、ＲＡＭ（Random Access Memory）等を備え、各種のアプリケーションプログラムや演算処理を実行することにより画像形成装置１の各部を制御する。制御値記憶部１０１には、画像形成装置１内部の温度・湿度や記録紙の坪量等の異なるさまざまな転写条件における転写電圧値や転写電流値の制御値が記憶されており、制御部１００は上述の転写条件に応じた制御値を制御値記憶部１０１から読み出し、転写時の転写電圧または転写電流を制御する。
画像形成ユニット１０２Ｙ，１０２Ｍ，１０２Ｃ，１０２Ｋは図示せぬ感光体ドラム、帯電装置、露光装置及び現像装置等をそれぞれ備え、Ｙ（イエロー）、Ｍ（マゼンタ）、Ｃ（シアン）、Ｋ（ブラック）各色のトナー像を形成する。生成された各色のトナー像は一次転写ロール１０３Ｙ，１０３Ｍ，１０３Ｃ，１０３Ｋによって中間転写ベルト１０４に転写される。中間転写ベルト１０４は駆動ロール１０５によって回転駆動され、複数の従動ロール１０６は中間転写ベルト１０４を張架しこれに従動回転する。
記録紙トレイ１１０ａ，１１０ｂ，１１０ｃ，１１０ｄにはそれぞれ異なる種類の記録紙が格納されている。複数の搬送ロール１０９は記録紙を搬送する。
二次転写ロール１０７は中間転写ベルト１０４上に形成されたトナー像を記録紙上に転写する。定着装置１０８は記録紙上のトナー像を加熱及び加圧することで記録紙に定着させる。なお、二次転写ロール１０７が記録紙にトナー像を転写する部分のことを、以下では「転写部」と称する。
操作部１１１は液晶パネルや複数のボタン等を備え、操作者により記録紙の種類や後述する画像形成モード等の情報が入力される。
【００１５】
また、本実施形態において使用される記録紙には、通常の長方形の記録紙の他にタブ紙とパンチ穴紙とがある。
図２はタブ紙とパンチ穴紙を例示した図である。同図に示されているように、タブ紙とは、記録紙のある１辺に略矩形状の突出部（タブ）が設けられた記録紙のことであり、パンチ穴紙とは、記録紙の記録面の一部に孔部（パンチ穴）が設けられた記録紙のことである。タブやパンチ穴には種々の形状と位置があり、また、その数もさまざまである。
【００１６】
（２）動作
このような構成のもと、画像形成装置１は記録紙に画像形成を行う。本実施形態の画像形成装置１は、「普通紙モード」と「タブ紙・パンチ穴紙モード」の２種類の画像形成モードを備えている。普通紙モードとはタブやパンチ穴のない通常の記録紙を画像形成に用いる場合に選択される画像形成モードであり、タブ紙・パンチ穴紙モードとはタブやパンチ穴を有する記録紙を画像形成に用いる場合に選択される画像形成モードである。画像形成装置にはデフォルトとして上述の普通紙モードが設定されているが、操作者によりタブ紙やパンチ穴紙に画像形成を行う旨の指示が入力されることにより、画像形成モードがこのタブ紙・パンチ穴紙モードに切り替わる。
【００１７】
タブ紙・パンチ穴紙モードにおいては、画像形成装置１は、記録紙にトナー像を転写するために印加する転写電圧または供給する転写電流の値を、タブ部分またはパンチ穴周辺部分に転写する場合とそれ以外の場合とで異ならせる。
図１０で説明したように、タブ部分またはパンチ穴周辺部分においては、その他の部分と比較して二次転写ロール１０７と従動ロール１０６に挟まれる記録紙の面積が非常に少なくなる。このため、定電圧制御においては記録紙に印加される転写電圧が低下し、定電流制御においては記録紙部分を流れる電流が減少する。この転写電圧の低下または転写電流の減少を補うために、タブ部分またはパンチ穴周辺部分を転写する場合には、その他の部分よりも高い転写電圧または大きな転写電流により転写を行う。以下ではこの動作について、より詳しく説明する。
【００１８】
画像形成装置１の画像形成モードがタブ紙・パンチ穴紙モードに切り替わるときには、操作者はモード切替の指示を行うとともに各種の情報を入力する。その情報とは、後述するタブ数や坪量、あるいはタブの位置を示す情報等である。また、画像形成装置１は装置内部の温度・湿度を常にモニタリングしており、この情報についても適宜画像形成装置１の制御部１００に供給される。以下では、これらの情報を総称して「入力情報」とする。
上述の入力情報が供給されると、制御部１００は、入力情報に応じた転写条件を制御値記憶部１０１から読み出し、この転写条件に従って転写部に印加される転写電圧または供給される転写電流を制御する。
【００１９】
以下では、画像形成装置１がタブ紙のタブ部分に対して転写電圧を変更して転写を行う場合について３つの実施例を示し、これらの実施例に従って行った実験の結果を示す。なお、これらの実施例において、記録紙は、タブの付された辺が記録紙の搬送方向に直交するようにして搬送されるものとする。
【００２０】
（２−１）実施例１
本実施例においては、画像形成装置１は、転写時においてタブの総数、すなわちタブの大きさによってタブ部分における転写電圧値を変化させる。
図３は本実施例で用いられる３種のタブ紙を例示した図である。同図に示されているように、本実施例ではタブ数が５，７，１０のタブ紙を用い、それぞれのタブ紙のタブ部分に転写を行う場合に、それぞれ異なる転写電圧を印加する。
【００２１】
既に述べたように、転写時において記録紙のある部分が少なくなるほど転写電圧は低下する。すなわち、タブ数が増えて各々のタブの大きさが小さくなるほど、転写電圧の低下の度合いが大きくなる。
そこで、出願人は以下に示される実験を行い、各タブ数の記録紙におけるタブ部分の転写電圧の最適な制御値を求めた。
【００２２】
本実施例における実験では、タブ数が５，７，１０の３種類のタブ紙について、タブ部分にトナー像を転写する場合の転写電圧を初期値（タブ以外の部分の転写電圧）から段階的に変化させ、タブ以外の部分と同等の印刷結果が得られる電圧値を求めた。実験に使用した記録紙は坪量２７０ｇ／ｍ2であり、実験環境は標準環境（温度２２℃，湿度５５％）とした。
図４は、それぞれのタブ数における電圧値（制御値）を示した表である。同図に示された電圧値は、上述の初期値に対する相対値として示している。すなわちこの実験結果は、タブ数が「５」であるタブ紙の場合、タブ部分においてはタブ以外の部分の転写電圧の１．４倍の転写電圧を印加することにより、タブ以外の部分と同等の印刷結果が得られたことを示している。
【００２３】
このように、タブ数が増えて各々のタブの大きさが小さくなるほど転写電圧が低下し、タブ部分でタブ以外の部分と同等の印刷結果を得るには転写電圧をより多く増加させる必要があることが確認された。
また、図４に示された値を制御値として制御値記憶部１０１に記憶させることにより、画像形成装置１は上述の実験で用いたタブ紙のタブ部分に対しても、転写不良を生じさせることなくタブ以外の部分と同様に画像形成を行うことが可能となる。同様にして、種々の態様のタブ部分を有するタブ紙についても転写電圧の制御値を求め、これを制御値記憶部１０１に記憶させることにより、画像形成装置１は種々のタブを有するタブ紙についても同様にして画像形成を行うことが可能となる。
【００２４】
（２−２）実施例２
続いて、本実施例においては、画像形成装置１は、記録紙の種類、具体的には記録紙の坪量によってタブ部分における転写電圧値を変化させる。
一般に、記録紙は坪量が大きいほど転写時における電気抵抗も大きくなる。すなわち、坪量の大きい記録紙ほどタブ部分においてタブ以外の部分との転写電圧の差が大きくなる。
そこで、出願人は以下に示される実験を行い、各坪量の記録紙におけるタブ部分の転写電圧の最適な制御値を求めた。
【００２５】
本実施例における実験では、坪量が１２０，２１０，２７０（ｇ／ｍ2）の３種類のタブ紙について、タブ部分にトナー像を転写する場合の転写電圧を初期値（タブ以外の部分の転写電圧）から段階的に変化させ、タブ以外の部分と同等の印刷結果が得られる電圧値を求めた。実験に使用した記録紙のタブ数は５であり、実験環境は標準環境（温度２２℃，湿度５５％）とした。
図５は、それぞれの坪量における電圧値（制御値）を示した表である。同図に示された電圧値は、上述の初期値に対する相対値として示している。すなわちこの実験結果は、坪量が「１２０ｇ／ｍ2」であるタブ紙の場合、タブ部分においてはタブ以外の部分の転写電圧の１．１倍の転写電圧を印加することにより、タブ以外の部分と同等の印刷結果が得られたことを示している。
【００２６】
このように、坪量が大きくなるほど転写電圧が低下し、タブ部分でタブ以外の部分と同等の印刷結果を得るには転写電圧をより多く増加させる必要があることが確認された。
また、図５に示された値を制御値として制御値記憶部１０１に記憶させることにより、画像形成装置１は上述の実験で用いたタブ紙のタブ部分に対しても、転写不良を生じさせることなくタブ以外の部分と同様に画像形成を行うことが可能となる。同様にして、種々の坪量のタブ紙についても転写電圧の制御値を求め、これを制御値記憶部１０１に記憶させることにより、画像形成装置１は種々の坪量のタブ紙についても同様にして画像形成を行うことが可能となる。
【００２７】
（２−３）実施例３
最後に、本実施例においては、画像形成装置１は、装置内部の温度・湿度によってタブ部分における転写電圧値を変化させる。
一般に、紙の電気抵抗は温度・湿度に依存し、低温低湿で高抵抗、高温高湿で低抵抗となる。すなわち、環境が低温低湿になるほど、タブ紙のタブ部分においてタブ以外の部分との転写電圧の差が大きくなる。
そこで、出願人は以下に示される実験を行い、異なる環境におけるタブ部分の転写電圧の最適な制御値を求めた。
【００２８】
本実施例における実験では、低温低湿環境（温度１０℃，湿度１５％）、標準環境（温度２２℃，湿度５５％）、高温高湿環境（温度２８℃，湿度８５％）の３種類の環境においてタブ紙に画像形成を行い、タブ部分にトナー像を転写する場合の転写電圧を初期値（タブ以外の部分の転写電圧）から段階的に変化させ、タブ以外の部分と同等の印刷結果が得られる電圧値を求めた。実験に使用した記録紙のタブ数は５であり、坪量は２７０（ｇ／ｍ2）とした。
図６は、それぞれの環境における電圧値（制御値）を示した表である。同図に示された電圧値は、上述の初期値に対する相対値として示している。すなわちこの実験結果は、低温低湿環境においてタブ紙に画像形成を行った場合、タブ部分においてはタブ以外の部分の転写電圧の１．５倍の転写電圧を印加することにより、タブ以外の部分と同等の印刷結果が得られたことを示している。
【００２９】
このように、環境が低温低湿になるほどタブ部分における転写電圧が低下し、タブ部分でタブ以外の部分と同等の印刷結果を得るには転写電圧をより多く増加させる必要があることが確認された。
また、図６に示された値を制御値として制御値記憶部１０１に記憶させることにより、画像形成装置１は上述の実験で用いたタブ紙のタブ部分に対しても、転写不良を生じさせることなくタブ以外の部分と同様に画像形成を行うことが可能となる。同様にして、種々の環境においても転写電圧の制御値を求め、これを制御値記憶部１０１に記憶させることにより、画像形成装置１はその他の種々の環境においても同様にして画像形成を行うことが可能となる。
【００３０】
（３）変形例
以上、本発明の実施の形態について、３つの実施例を挙げて説明した。しかし、上述の実施形態に限定せずとも、本発明の実施は可能である。以下にその例を示す。
まず、上述の実施形態においては、図１に示された構成の画像形成装置１により説明したが、本発明の適用はこの構成の画像形成装置に限定されるものではない。例えば、同図の中間転写ベルト１０４に代えて用紙搬送ベルトを用いた画像形成装置でも良く、もちろんその他の中間転写体を用いた画像形成装置でも良い。また、図１の画像形成装置１は中間転写ベルト１０４に沿って４色の画像形成ユニット１０２Ｙ，１０２Ｍ，１０２Ｃ，１０２Ｋを配置したいわゆるタンデム構成であるが、これに限らず、複数サイクル構成の画像形成装置に対して本発明を適用することももちろん可能である。
また、上述の実施形態においては、操作者によりタブ数や坪量、あるいはタブの位置を示す情報が操作部１１１から入力されるとしたが、例えば記録紙トレイ１１０ａ，１１０ｂ，１１０ｃ，１１０ｄにこれらの情報を入力する手段を設けて、タブ紙やパンチ穴紙を記録紙トレイにセットしたときにこれらの情報を入力できるようにすることも可能である。
【００３１】
また、上述の実施形態においては、画像を形成する記録媒体は記録紙と限定していたが、もちろん他の記録媒体、例えばＯＨＰフィルム等のプラスティックの他、木材、布など、種々の材料を用いることが可能である。
また、上述の実施形態においては、タブ紙とパンチ穴紙を例に挙げて説明したが、本発明の適用はこれらの記録媒体に限定されない。例えば、タブとパンチ穴を両方有する記録媒体を用いることも可能である。他にも、通常の長方形の記録紙の一部を切り取ったり切り抜いたりした形状の記録媒体を用いることも可能である。すなわち、本発明の適用により効果を奏する記録媒体とは、一連の画像形成プロセス中に、転写面において転写体に接する記録媒体の面積が大きく変化するような記録媒体のすべてである。したがって、本発明に係る画像形成装置に用いられる記録媒体は、記録媒体の少なくとも一端にタブのような突出部を有するものや、記録媒体の一部にパンチ穴のような孔部を有するものであれば良い。また、突出部のような突出した形状とは逆に、図７に示すように、記録媒体の少なくとも一端に切り欠いた形状の切欠部が設けられたものであっても良い。もちろんこのような突出部ないし切欠部や孔部はどのような形状であっても良いし、複数の異なる突出部ないし切欠部や孔部を有する記録媒体を用いることも可能である。
【００３２】
また、上述の３つの実施例においては、それぞれのタブ部分に対して図４〜６に示した電圧値で転写すると説明した。しかし、タブ部分における電圧値と初期値（タブ以外の部分の転写電圧）の差が大きい場合には、転写電圧の切り替え部分で画質が急激に変化してしまうおそれがある。そのため、転写電圧の切り替えは、タブのない部分から連続的或いは段階的に行い、タブ部分に入ったらその変化を終了させることが望ましい。
図８は、タブ紙及びパンチ穴紙の転写時における転写電圧の変化をそれぞれ示した図である。グラフ上の点Ｐ1〜Ｐ3及び点Ｑ1〜Ｑ4は、それぞれタブ紙及びパンチ穴紙に示した同符号の点の位置に対応している。
同図に示されているように、電圧Ｖ1からＶ2への変化は点Ｐ2の前後において連続的に変化している。同様に、電圧Ｖ3から電圧Ｖ4、或いは電圧Ｖ4から電圧Ｖ3への変化は、点Ｑ2或いは点Ｑ3の前後において連続的に変化している。また、転写電圧がＶ2ないしＶ4、すなわち制御値に達したら、転写電圧の変化を止める。このようにすることで、転写電圧の切り替え部分、すなわち図中の点Ｐ2や点Ｑ2、及び点Ｑ3の周辺において、転写電圧の急変に起因する画質変化を防ぐことが可能となる。
【００３３】
また、上述の３つの実施例はすべて転写電圧を制御する態様であったが、もちろん転写電流を制御する態様であっても良い。さらには、上述の３つの実施例はすべてタブ紙のタブ部分に転写する場合について説明したが、同様の要領にてパンチ穴紙に転写する場合についても本発明を適用することが可能である。
また、上述の３つの実施例では、電圧値は初期値に対する相対値として示されているが、実際の電圧値を制御値記憶部１０１に記憶させる態様であっても良い。
【図面の簡単な説明】
【００３４】
【図１】本発明の一実施形態に係る画像形成装置の構成を示した図である。
【図２】同実施形態におけるタブ紙とパンチ穴紙を例示した図である。
【図３】同実施形態の第１の実施例で用いられるタブ紙を例示した図である。
【図４】同実施例においてそれぞれのタブ数における電圧値を示した表である。
【図５】同実施形態の第２の実施例においてそれぞれの坪量における電圧値を示した表である。
【図６】同実施形態の第３の実施例においてそれぞれの環境における電圧値を示した表である。
【図７】切欠部が設けられた記録媒体を例示した図である。
【図８】タブ紙及びパンチ穴紙の転写時における転写電圧の変化をそれぞれ示した図である。
【図９】転写部周辺を記録紙の移動方向及びその直交方向より示した図である。
【図１０】記録紙の各位置における転写部の転写面の状態示した図である。
【符号の説明】
【００３５】
１…画像形成装置、１００…制御部、１０１…制御値記憶部、１０２Ｙ，１０２Ｍ，１０２Ｃ，１０２Ｋ…画像形成ユニット、１０３Ｙ，１０３Ｍ，１０３Ｃ，１０３Ｋ…一次転写ロール、１０４…中間転写ベルト、１０５…駆動ロール、１０６…従動ロール、１０７…二次転写ロール、１０８…定着装置、１０９…搬送ロール、１１０ａ，１１０ｂ，１１０ｃ，１１０ｄ…記録紙トレイ、１１１…操作部。
【図１】
2005107234.tif 000003
【図２】
2005107234.tif 000004
【図３】
2005107234.tif 000005
【図４】
2005107234.tif 000006
【図５】
2005107234.tif 000007
【図６】
2005107234.tif 000008
【図７】
2005107234.tif 000009
【図８】
2005107234.tif 000010
【図９】
2005107234.tif 000011
【図１０】
2005107234.tif 000012